(57)【要約】  本発明は、建築材料を適用するためのシステム（１）に関するものであって、このシステムは以下を含む：建築材料の第１の成分（３）であって、第１の構成要素（３．１）と第２の構成要素（３．２）とを含む第１の成分（３）；建築材料の第２の成分（４）；第１の構成要素（３．１）と第２の構成要素（３．２）とを混合するための第１のミキサ（５．１）；第１の構成要素（３．１）をミキサ（５．１）に供給するための供給装置（２９）；空間内の適用位置を修正するための移動装置（２）；及び第１の成分（３）と第２の成分（４）とを混合するための第２のミキサ（５．２）。
2020529340.tif 000002
【特許請求の範囲】
【請求項１】
以下を含む、建築材料を適用するためのシステム（１）：
前記建築材料の第１の成分（３）であって、第１の原料（３．１）と第２の原料（３．２）とを含む第１の成分（３）；
前記建築材料の第２の成分（４）；
前記第１の成分（３）の前記第１の原料（３．１）と前記第２の原料（３．２）とを混合するための第１のミキサ（５．１）；
前記第１の成分（３）の前記第１の原料（３．１）を前記第１のミキサ（５．１）に供給するための供給装置（２９）；
空間内の適用位置を変えるための移動装置（２）；及び
前記第１の成分（３）と前記第２の成分（４）とを混合するための第２のミキサ（５．２）。
【請求項２】
前記第１の成分（３）の前記第１の原料（３．１）は、セメントと骨材とを含み、かつ前記第１の成分（３）の前記第２の原料（３．２）は、水を含む、請求項１に記載のシステム（１）。
【請求項３】
前記第２の成分（４）は、硬化促進剤を含む、請求項１又は２に記載のシステム（１）。
【請求項４】
前記第１のミキサ（５．１）及び／又は前記第２のミキサ（５．２）は、モジュール式に構成され、且つここで、第１の結合要素（１４）を有する駆動モジュール（１０）と、第２の結合要素（１５）を有する混合室モジュール（１１）とを含み、前記モジュール（１０、１１）は、使用状態において、前記結合要素（１４、１５）を介して相互に動作可能に接続されている、請求項１〜３のいずれか一項に記載のシステム（１）。
【請求項５】
前記第１のミキサ（５．１）は、静止状態に配置され、かつ／又は
前記第２のミキサ（５．２）は、前記移動装置（２）上に配置され、前記第２のミキサ（５．２）は、前記移動装置（２）よって移動可能である、請求項１〜４のいずれか一項に記載のシステム（１）。
【請求項６】
前記第１のミキサ（５．１）及び／又は前記第２のミキサ（５．２）は、第１の部分に攪拌要素（１９）を備える攪拌シャフト（１６）であって、その上の第２の部分に運搬要素（１８）が配置される攪拌シャフト（１６）を含む、請求項１〜５のいずれか一項に記載のシステム（１）。
【請求項７】
前記供給装置（２９）は、貯蔵装置（３０）と計測装置（４０）とを含む、請求項１〜６のいずれか一項に記載のシステム（１）。
【請求項８】
前記計測装置（４０）は、重量測定計測装置として設計され、かつ／又は
前記貯蔵装置（３０）は、ホッパ（３１）とコンベヤ（３２）とを含む、請求項７に記載のシステム（１）。
【請求項９】
第１のポンプ（３３）及び／又は第２のポンプ（３４）を含み、前記第１の成分（３）は、前記第１のミキサ（５．１）から前記第２のミキサ（５．２）に、前記第１のポンプ（３３）によって送り込むことができ、かつ／又は前記第２の成分（４）は、前記第２のミキサ（５．２）に、前記第２のポンプ（３４）よって送り込むことができる、請求項１〜８のいずれか一項に記載のシステム（１）。
【請求項１０】
前記移動装置（２）は、可動ヘッド（３６）を有し、かつ前記第２のミキサ（５．２）は、前記可動ヘッド（３６）上に配置され、それにより、前記第２のミキサ（５．２）は、適用位置の領域内にあるようにされている、請求項１〜９のいずれか一項に記載のシステム（１）。
【請求項１１】
以下を含む、建築材料から構造物を生成するための方法：
前記建築材料の第１の成分（３）の第１の原料（３．１）を提供すること；
前記建築材料の前記第１の成分（３）の第２の原料（３．２）を提供すること；
前記第１の成分の前記第１の原料（３．１）と前記第２の原料（３．２）とを第１のミキサ（５．１）内で混合すること；
前記建築材料の第２の成分（４）を提供すること；
前記第１の成分（３）と前記第２の成分（４）とを第２のミキサ（５．２）内で混合すること；
空間内の適用位置を変えるために移動装置（２）を移動させること；及び
前記建築材料を適用すること。
【請求項１２】
前記第１のミキサ（５．１）及び／又は前記第２のミキサ（５．２）が、毎分５００回転を超える回転速度で動作する、請求項１１に記載の方法。
【請求項１３】
前記第１のミキサ（５．１）内での前記混合中、前記ミキサ（５．１、５．２）内の前記原料の平均滞留時間は、４０秒未満であり、かつ／又は前記第２のミキサ（５．２）内での前記混合中、前記ミキサ（５．１、５．２）内の前記建築材料の前記成分の平均滞留時間は、２０秒未満である、請求項１１又は１２に記載の方法。
【請求項１４】
前記建築材料の前記第１の成分（３）の前記第１の原料（３．１）の前記提供中、前記第１の原料（３．１）は、重量測定により計測され、かつ／又は
前記建築材料の前記第１の成分の前記第２の原料（３．２）の前記提供中、前記第２の原料（３．２）は、容量測定により計測される、請求項１１〜１３のいずれか一項に記載の方法。
【請求項１５】
前記建築材料を、少なくとも部分的に重複している層において適用し、それにより、構造物を、３Ｄプリンタの方式で構成するようになっている、請求項１１〜１４のいずれか一項に記載の方法。
【発明の詳細な説明】
【技術分野】
【０００１】
本発明は、建築材料を適用するためのシステムと、建築材料から構造物を生成するための方法とに関する。
【背景技術】
【０００２】
建築材料の自動適用のための様々なシステムがすでに提案されている。例えば、国際公開第２０１３／０６４８２６  Ａ１号パンフレットは、セメント質材料を適用する方法及びそのための装置を開示している。液体セメント質材料は、ここで、所期の対象箇所に可動ロボットアームを介して適用される。このようなシステムの欠点は、建築材料が、多くの場合、様々な特性、特に成分の完全な混合に関して不十分に均一であることである。その結果、建築材料で生成された構造物に凹凸があり得る。
【発明の概要】
【発明が解決しようとする課題】
【０００３】
したがって、本発明の目的は、建築材料を適用するためのシステムと、建築材料から構造物を生成するための方法とを提供することであり、ここで、建築材料は、適用に関するその特性に関してできるだけ均一である。特に、それにより、高品質の構造物が建築材料を用いて再現可能及び連続的に構成されることが意図される。
【課題を解決するための手段】
【０００４】
この目的は、まず、建築材料を適用するためのシステムであって、建築材料の第１の成分であって、第１の原料と第２の原料とを含む第１の成分；建築材料の第２の成分；第１の成分の第１の原料と第２の原料とを混合するための第１のミキサ；第１の成分の第１の原料を第１のミキサに供給するための供給装置；空間内の適用位置を変えるための移動装置；及び第１の成分と第２の成分とを混合するための第２のミキサ；とを含むシステムによって達成される。
【０００５】
ここで提案される解決策は、まず、第１のミキサと第２のミキサとの使用により、建築材料がシステムから出る際の建築材料のより均一な特性が実現できるという利点を有する。ここで提案されるシステムは、特に、第１の成分の原料が第１のミキサを使用して混合されてから、第１の成分が第２のミキサを使用して第２の成分と混合されることを想定している。このような２段階の混合プロセスにより、建築材料の原料及び成分のすべての全体的なより完全な混合が可能となる。
【０００６】
ここで提案されるシステムは、建築材料を適用する作業を２つのミキサの提供によってよりよく自動化できるという利点をさらに提供する。１つのミキサのみがあるシステムと対照的に、ここで提案されるシステムには、それ自体がそれぞれ保管中に安定しており、したがって簡単で自動化された方法でシステムに供給できる個別の原料及び成分を供給することが可能である。
【０００７】
ここで提案されるシステムの別の利点は、２つのミキサの設置により、建築材料により多くのエネルギーを加え得ることを含む。これは、まず、より完全な混合、建築材料中のより少ないエアポケットにつながり、さらにそれによって建築材料のための水の消費量を削減できる。加えて、より多くのエネルギーを加えられることにより、使用する添加物をより少なくすることが可能であり、これは、より費用対効果の高い解決策につながる。全体として、ここで提案されるシステムのこれらの特性のすべては、例えば、建築材料から構造物を建築するための建築材料の自動適用にとっての建築材料のよりよい特性に寄与する。
【０００８】
例示的な実施形態において、建築材料は、コンクリート又はモルタルを含む。建築材料の第１の成分の第１の原料は、セメントと骨材とを含み、建築材料の第１の成分の第２の原料は、水を含む。
【０００９】
これには、第１のミキサにより、セメント及び骨材が水と混合されることにより、均一でポンプ圧送可能なコンクリート又はモルタルを生成できるという利点がある。
【００１０】
特に、その結果、ポンプ圧送可能なコンクリート又はモルタルを建築材料の第１の成分として生成でき、それは、比較的より少ない水とより少ないエアポケットとを含み、したがって第２のミキサに供給され得る。
【００１１】
例示的な発展形態において、建築材料の第１の成分の第１の原料は、乾燥混合物、特にセメントと骨材とを含む混合物である。
【００１２】
例示的な発展形態において、建築材料の第１の成分の第２の原料は、水に添加される添加剤を含む。
【００１３】
使用可能な添加物の例は、コンクリート混和材、及び／又はモルタル混和材、及び／又はプロセス薬品である。
【００１４】
少なくとも１つの添加剤は、特に消泡剤、湿潤剤、染料、防腐剤、フロー剤、遅延剤、他の促進剤、ポリマー、空隙形成剤、レオロジー的助剤、粘度調整剤、ポンプ圧送助剤、収縮低減剤若しくは腐食抑制剤又はそれらの組合せを含む。
【００１５】
例示的な実施形態において、建築材料の第２の成分は、硬化促進剤を含む。
【００１６】
これは、それにより、硬化促進剤を、第２のミキサ内において、すでに混合された第１の成分と混合できるという利点を提供する。硬化促進剤をすでに完全に混合された第１の成分と混合することにより、建築材料がシステムから出る際の建築材料のよりよい特性を得ることができる。建築材料の第１の成分は、すでに第１のミキサによって可溶化されているため、第２のミキサ内で添加される硬化促進剤は、建築材料の第１の成分に対するよりよい効果を有することができる。それにより、使用する硬化促進剤を減らすことができ、これは、費用の削減につながり、また硬化促進剤による水の導入の減少にもつながり、したがって硬化がより急速に進むことになる。
【００１７】
代替的な実施形態において、建築材料は、プラスチック系の多成分組成物である。この場合、第１の成分は、典型的に反応性ポリマー又はモノマーを含み、第２の成分は、前記ポリマー又はモノマーを架橋又は硬化させるための硬化剤又は促進剤を含む。このような組成物の例には、エポキシ樹脂、ポリウレタン、シラン機能性ポリモノマー、シリコーン、アクリル酸塩及びその他が含まれる。
【００１８】
例示的な実施形態において、第１のミキサ及び／又は第２のミキサは、モジュール式に構成され、ミキサは、ここで、第１の結合要素を有する駆動モジュールと、第２の結合要素を有する混合室モジュールとを含み、これらのモジュールは、使用状態において、結合要素を介して動作可能に接続されている。
【００１９】
モジュール式の構成のミキサを提供することにより、ミキサのうち、建築材料と接触する部分のみを交換し、且つ／又は修理点検し、且つ／又はクリーニングすることができるという利点が提供される。したがって、システムに保守作業を行うために、ミキサのより軽量の部分のみを取り外すことができる。加えて、例えば特に異なる建築材料に使用するため、混合室モジュール全体を交換できる。
【００２０】
例示的な発展形態において、第１の結合要素及び第２の結合要素の各々は、歯部を含み、したがって、使用状態において、駆動モジュールと混合室モジュールとは、機械的に相互に動作可能に接続される。
【００２１】
例示的な実施形態において、第１のミキサは、静止状態に配置される。
【００２２】
静止した第１のミキサを提供することにより、それにより、第１のミキサ内の第１の成分を、例えば第１の成分の原料を供給するための対応する手段によって費用効率のよい自動化された方法で生成できるという利点が得られる。
【００２３】
例示的な実施形態において、第２のミキサは、移動装置上に配置され、第２のミキサは、移動装置によって移動可能である。
【００２４】
移動装置上に移動可能に配置された第２のミキサの提供には、第２のミキサをそれにより適用位置の領域に配置でき、その結果、第１の成分と第２の成分とを、建築材料がシステムから出るわずかに前に混合できるという利点がある。その結果、例えば、硬化促進剤を第２のミキサ内でポンプ圧送可能なコンクリート又はモルタルと混合でき、ここで提案される第２のミキサの配置により、システムがシステム内の硬化したコンクリート又はモルタルで詰まるリスクが軽減される。
【００２５】
例示的な実施形態において、第１のミキサ及び／又は第２のミキサは、第１の部分に攪拌要素を備える攪拌シャフトであって、その上の第２の部分に搬送要素が配置される、攪拌シャフトを含む。
【００２６】
第１に、建築材料の第１の成分をそれによって第１のミキサから運び出すことができることと、特にそのような第２のミキサの配置により、建築材料を有利な方法で混合及び搬送できることとが示された。
【００２７】
有利な発展形態において、攪拌要素は、ピンとして設計される。
【００２８】
別の有利な実施形態において、攪拌要素は、雄ねじを有し、したがって、攪拌要素は、攪拌シャフト上の雌ねじを有する凹部に螺合させることができる。
【００２９】
例示的な発展形態において、搬送要素は、スクリュコンベヤとして設計される。
【００３０】
例示的な発展形態において、攪拌シャフトの第１の部分は、ミキサのドラムの第１の領域に配置され、この領域において、ドラムは、少なくとも１つの入口を有する。加えて、攪拌シャフトの第２の部分は、ドラムの第２の領域に配置され、その領域において、ドラムは、出口を有する。
【００３１】
例示的な発展形態において、搬送要素は、攪拌シャフトから攪拌シャフトの軸の方向に引き抜くことができる。
【００３２】
例示的な発展形態において、搬送要素は、搬送要素を攪拌シャフト上にロックするための固定要素を含む。
【００３３】
例示的な発展形態において、ミキサのドラムは、一体に且つ／又は管状の形態で形成される。
【００３４】
例示的な実施形態において、供給装置は、貯蔵装置と計測装置とを含む。
【００３５】
別々の貯蔵装置及び計測装置の提供には、それにより建築材料をシステムで連続的に適用できるという利点がある。
【００３６】
例示的な発展形態において、計測装置は、重量測定計測装置として設計される。
【００３７】
重量測定計測装置を提供することにより、第１の成分の第１の原料、特にセメントと骨材とからなる乾燥混合物を正確な量だけシステムに供給できるという利点が得られる。建築材料の品質がそれによって均一に保持され得る。
【００３８】
例示的な発展形態において、貯蔵装置は、ホッパとコンベヤとを含む。コンベヤは、特にスクリュコンベヤ又はコンベヤベルトとして設計できる。
【００３９】
ホッパ及びコンベヤの提供には、それにより建築材料の第１の成分の第１の原料の大型ユニット、例えば大型容器又はサック（技術用語ではビッグバッグと呼ばれる）が貯蔵装置で使用されるという利点がある。例えば、第１の成分の第１の原料のこのような大型ユニットは、貯蔵装置内に吊るして、ホッパを介してコンベヤに供給できる。ホッパには、ここで、保管場所として使用でき、したがって建築材料の第１の成分の第１の原料の容器を交換するためにある期間のつなぎとすることができるという利点がある。コンベヤは、例えば、第１の成分を計測装置に供給できる。
【００４０】
例示的な実施形態において、システムは、第１のポンプ及び／又は第２のポンプを含み、第１の成分は、第１のミキサから第２のミキサに第１のポンプによって圧送され得、第２の成分は、第２のミキサに第２のポンプによって圧送され得る。
【００４１】
第１の成分及び／又は第２の成分を第２のミキサに供給するためのこのような第１のポンプ及び／又は第２のポンプを提供することにより、それにより第１の成分と第２の成分とを連続的に一定の流量で第２のミキサに供給できるという利点が得られる。
【００４２】
例示的な実施形態において、移動装置は、可動ヘッドを有し、第２のミキサは、可動ヘッド上に配置され、それにより、第２のミキサは、適用位置の領域内にある。
【００４３】
第２のミキサの移動装置のヘッド上への配置には、それにより第１一及び第２の成分が、建築材料がシステムから出る直前に相互に混合されるという利点がある。その結果、ポンプ圧送可能なコンクリート又はモルタルは、建築材料が、それがシステムから出た後にまもなく硬化するような方法で硬化促進剤と混合でき、その結果、建築材料から構造物を効率的に生成できる。特に、それにより、構造物を建築材料で３Ｄプリンタの方式で生成できる。
【００４４】
例示的な実施形態において、移動装置は、クレーンのように設計できる。例示的な発展形態において、移動装置は、可動アームを有する。
【００４５】
代替的な発展形態において、移動装置は、レール上に移動可能に配置された複数のアセンブリを含む。
【００４６】
冒頭に記載の目的は、建築材料から構造物を生成するための方法によってさらに達成され、ここで、この方法は以下を含む：建築材料の第１の成分の第１の原料を提供すること；建築材料の第１の成分の第２の原料を提供すること；第１の成分の第１の原料と第２の原料とを第１のミキサ内で混合すること；建築材料の第２の成分を提供すること；第１の成分と第２の成分とを第２のミキサ内で混合すること；空間内の適用位置を変えるために移動装置を移動させること；及び建築材料を適用すること。
【００４７】
ここで提案される、建築材料から構造物を生成するための方法は、システムについてすでに上述したものと同じ利点を与える。
【００４８】
例示的な実施形態において、第１のミキサ及び／又は第２のミキサは、毎分５００回転を超える回転速度、好ましくは毎分６５０回転を超える回転速度、特に好ましくは毎分８００回転を超える回転速度、特に好ましくは毎分１０００回転を超える回転速度で動作される。
【００４９】
第１のミキサ及び／又は第２のミキサを速い回転速度で動作させることにより、高いか又は急速に増大する粘性を有する混合材料（例えば、ポンプ圧送可能なコンクリート若しくはモルタル又は硬化促進剤が添加されたコンクリート若しくはモルタル）は、それにより、できるだけ効率的且つ迅速に完全に混合され得、その後、ミキサから運び出され得、プロセス中のミキサの詰まり及びその機能の不良を生じさせないという利点が得られる。
【００５０】
試験において、回転速度がより速いと、その結果として以下のような効果が得られることが示されている：第１に、コンクリート又はモルタルと硬化促進剤とがより完全に混合され、その結果、より制御可能な硬化挙動が得られる。第２に、コンクリート又はモルタルが砕ける程度がより大きく、したがって硬化促進剤がコンクリート又はモルタルのより大きい表面積に作用することができ、その結果、コンクリート又はモルタルと促進剤との間の反応がより迅速でよりよく制御可能となる。第３に、より多くのエネルギーが混合物に付与され、その結果、コンクリート又はモルタルと促進剤とがより加熱され、それは、したがって、硬化プロセスを促進する。
【００５１】
上記の効果は、毎分２０００回転の回転速度までより促進されることが観察されている。
【００５２】
例示的な実施形態において、第１のミキサ内での混合中、ミキサ内の建築材料の原料又は成分の平均滞留時間は、４０秒未満、特に好ましくは３０秒未満、特に好ましくは２０秒未満である。
【００５３】
例示的な実施形態において、第２のミキサ内での混合中、ミキサ内の建築材料の原料又は成分の平均滞留時間は、２０秒未満、特に好ましくは１５秒未満、特に好ましくは１０秒未満である。
【００５４】
ドラム内の混合物の平均滞留時間は、粒子がドラム内（ドラムの入口からドラムの出口まで）で平均的に費やす期間である。
【００５５】
最大わずか数秒間という上記の有利な平均滞留時間には、それにより高いか又は大きく増大する粘性を有する混合材料、例えばポンプ圧送可能なコンクリート若しくはモルタル又は硬化促進剤が添加されたコンクリート若しくはモルタルを運搬できるという利点がある。
【００５６】
例示的な実施形態において、建築材料の第１の成分の第１の原料の提供中、第１の原料は、重量測定により計測される。
【００５７】
建築材料の第１の成分の第１の原料、特にセメントと骨材との乾燥混合物の重量測定による計測には、均一な特性を有する建築材料がそれによって得られるという利点がある。
【００５８】
例示的な実施形態において、建築材料の第１の成分の第２の原料の提供中に、第２の原料は容量測定により計測される。
【００５９】
第２の原料、特に添加剤を含むか又は含まない水の容量測定による計測には、第１の成分の第２の原料を供給するための費用対効果の高いシステムがそれによって提供され得るという利点がある。
【００６０】
第１の原料の乾燥混合物と対照的に、液体の第２の原料は、容量測定により十分に正確に計測される方法で提供できる。
【００６１】
例示的な実施形態において、建築材料は、少なくとも部分的に重複している層において適用され、それにより、構造は、３Ｄプリンタの方式で構成される。
【００６２】
層状に適用される建築材料の利点は、それによって構造物全体が建築材料から自動的且つ効率的に構成できることを含む。
【００６３】
例示的な発展形態において、適用中、既存の層には、既存の層が新しい層の重量を受けたときに元の形状を保つのに十分に高い強度を有する場合にのみ建築材料の新しい層が重ねられる。
【００６４】
建築材料を３Ｄプリンタの方式で適用することは、特に建築材料のための型枠工事が不要になることを意味する。加えて、建築材料から生成しようとする構造物の形状は、実質的により自由に選択できる。
【００６５】
本発明の詳細及び利点を、例示的な実施形態を使用して下記の概略図面を参照しながら以下に説明する。
【図面の簡単な説明】
【００６６】
【図１】建築材料を適用するための例示的なシステムの概略図を示す。
【図２】例示的なミキサの概略図を示す。
【図３】ミキサの例示的な駆動モジュール及び混合室モジュールの概略図を示す。
【図４】混合室モジュールの例示的なシャフトモジュール及びドラムモジュールの概略図を示す。
【図５】建築材料から構造物を生成する例示的な方法の概略図を示す。
【発明を実施するための形態】
【００６７】
図１は、建築材料を適用するための例示的なシステム１を概略的に示す。システム１は、空間内の適用位置を変えるための移動装置２を含む。この例示的な実施形態において、移動装置２は、可動アームを備えるクレーン状の装置として設計される。可動アームは、先端にヘッド３６を有する。
【００６８】
貯蔵装置３０内において、建築材料の第１の成分３の第１の原料３．１は、ホッパ３１を介して及びコンベヤ３２を介して計測装置４０に供給される。計測装置４０と貯蔵装置３０とは、一緒に供給装置２９を形成し、これは、第１の成分３の第１の原料３．１を第１のミキサ５．１に供給することができる。第１の原料３．１は、第１のミキサ５．１の第１の入口７．１を介して供給される。
【００６９】
第１の成分３の第２の原料３．２は、第１のミキサ５．１の第２の入口７．２を介して第１のミキサ５．１に供給される。
【００７０】
第１のミキサ５．１内において、第１の原料３．１と第２の原料３．２とが混合されて建築材料の第１の成分３を形成する。第１のミキサ５．１の出口６．１を介して、第１の成分３は、第２のミキサ５．２に第１の管系２７を介して供給される。第１のポンプ３３は、第１の管系２７を通して第１の成分３を搬送できる。
【００７１】
さらに、システム１は、第２の成分４を含み、これは、第２の管系２８を介して第２のミキサ５．２に供給できる。第２のポンプ３４も、ここで、第２の管系２８を通して第２の成分４を搬送するために提供できる。
【００７２】
第１の成分３と第２の成分４とは、第２のミキサ５．２内で一緒に混合される。第１の成分３は、第１の入口７．１を介して第２のミキサ５．２に供給され、第２の成分４は、第２の入口７．２を介して第２のミキサ５．２に供給される。第２のミキサ５．２内で生成された建築材料は、第２のミキサ５．２の出口６．２を介して第２のミキサ５．２から出て、その後、出口開口３８を介して適用される。
【００７３】
この例示的な実施形態において、第１のミキサ５．１は、静止状態で配置され、第２のミキサ５．２は、移動装置２上に移動可能に配置される。第２のミキサ５．２は、移動装置２のヘッド３６上に配置され、それにより、第２のミキサ５．２は、その都度、適用位置の領域内にある。
【００７４】
図２は、例示的なミキサ５を概略的に示す。ミキサ５は、ドライブ８と、ドラム９と、基端側閉止手段１２と、先端側閉止手段１３と、出口６と、第１の入口７．１と、第２の入口７．２と、第３の入口７．３と、支持手段１７とを含む。例えば、ミキサ５を第２のミキサ５．２として使用している間、第１の成分３は、第１の入口７．１を介して、及び第２の成分４は、第３の入口７．３を介して供給でき、第２の入口７．２は、洗浄液でドラム９を洗浄するために使用できる。
【００７５】
代替形態として、ここに示されるミキサ５は、第１のミキサ５．１として使用されている間、第１の原料３．１と第２の原料３．２とを混合して第１の成分３を形成するために使用できる。したがって、例えば、第１の原料３．１は、第１の入口７．１を介して供給でき、第２の原料３．２は、第３の入口７．３を介して供給でき、第２の入口７．２は、洗浄液でドラム９を洗浄するために使用できる。
【００７６】
この例示的な実施形態において、先端側閉止手段１３は、支持手段１７を介してドライブ８に接続され、したがって攪拌シャフト（この図では見えない）を基端側閉止手段１２と先端側閉止手段１３との両方に取り付けることができる。
【００７７】
図３は、図２ですでに示したものと同じミキサ５を示すが、この図では駆動モジュール１０と混合室モジュール１１とが相互から分離されている。ここで、駆動モジュール１０は、第１の結合要素１４を含み、混合室モジュール１１は、第２の結合要素１５を含むことが明らかである。この例示的な実施形態において、結合要素１４、１５は、それぞれ歯部を有し、これらは、適用状態において噛み合う。
【００７８】
混合室モジュール１１と駆動モジュール１０とを分離可能に配置することにより、特に混合室モジュール１１にクリーニング及び／又は保守作業を実行するために混合室モジュール１１をシステム１から取り外すことが可能となる。特に、ドラム９は、それにより、ミキサ５の全体をシステム１から取り外さずに簡単に洗浄できる。
【００７９】
図４は、駆動モジュール１０がないときの混合室モジュール１１を示す。図４は、分離された状態の混合室モジュール１１を示す。この例示的な実施形態において、混合室モジュール１１は、シャフトモジュール２１とドラムモジュール２２とを含む。
【００８０】
この例示的な実施形態におけるシャフトモジュール２１は、第２の結合要素１５と、基端側閉止手段１２と、攪拌シャフト１６と、コンベヤ要素１８とを含む。
【００８１】
この例示的な実施形態におけるドラムモジュール２２は、一体に形成された管状ドラム９と先端側閉止手段１３とを含む。ドラム９は、第１の入口７．１と、第２の入口７．２と、第３の入口７．３とを有し、これらは、すべてドラム９の第１の端領域に配置される。出口６は、ドラム９の第２の端領域に配置される。
【００８２】
この例示的な実施形態における先端側閉止手段１３は、先端側閉止手段１３の、ドラム９と対面する側に配置された犠牲板２３を有する。犠牲板２３は、システムの動作中に摩耗し、必要に応じて交換できる。その結果、先端側閉止手段１３は、より長期間にわたり使用できる。
【００８３】
この例示的な実施形態におけるコンベヤ要素１８は、スクリュコンベヤとして設計される。コンベヤ要素１８は、攪拌シャフト１６に取り付けて配置される。加えて、コンベヤ要素１８は、攪拌シャフト１６にロッキング要素（この図では見えない）で固定される。
【００８４】
図５は、最後に、建築材料から構造物を生成するための方法を概略的に示す。様々な方法工程が以下のように分類される：
Ｉ  建築材料の第１の成分の第１の原料を提供すること
ＩＩ  建築材料の第１の成分の第２の原料を提供すること
ＩＩＩ  第１の原料と第２の原料とを混合して建築材料の第１の成分を形成すること
ＩＶ  建築材料の第２の成分を提供すること
Ｖ  第１の成分と第２の成分とを混合して建築材料を形成すること
ＶＩ  移動装置を移動させて空間内の適用位置を変えること
ＶＩＩ  建築材料を適用すること。
【００８５】
言うまでもなく、ここに述べる方法工程は、同時に行うことができ、したがって建築材料を連続的に適用して建築材料から構造物を生成できる。
【符号の説明】
【００８６】
１    システム
２    移動装置
３    第１の成分
３．１    第１の原料
３．２    第２の原料
４    第２の成分
５    ミキサ
５．１    第１のミキサ
５．２    第２のミキサ
６    出口
６．１    第１のミキサの出口
６．２    第２のミキサの出口
７    入口
７．１    第１の入口
７．２    第２の入口
７．３    第３の入口
８    ドライブ
９    ドラム
１０    駆動モジュール
１１    混合室モジュール
１２    基端側閉止手段
１３    先端側閉止手段
１４    第１の結合要素
１５    第２の結合要素
１６    攪拌シャフト
１７    支持手段
１８    コンベヤ要素
１９    攪拌要素
２１    シャフトモジュール
２２    ドラムモジュール
２３    犠牲板
２７    第１の管系
２８    第２の管系
２９    供給装置
３０    貯蔵装置
３１    ホッパ
３２    コンベヤ
３３    第１のポンプ
３４    第２のポンプ
３６    移動装置のヘッド
３８    出口開口
４０    計測装置
Ｉ    第１の原料を提供すること
ＩＩ    第２の原料を提供すること
ＩＩＩ    第１の原料と第２の原料を混合すること
ＩＶ    第２の成分を提供すること
Ｖ    第１の成分と第２の成分を混合すること
ＶＩ    移動装置を移動させること
ＶＩＩ    建築材料を適用すること
【図１】
2020529340.tif 000003
【図２】
2020529340.tif 000004
【図３】
2020529340.tif 000005
【図４】
2020529340.tif 000006
【図５】
2020529340.tif 000007
【国際調査報告】
2020529340.tif 000008
2020529340.tif 000009
2020529340.tif 000010
2020529340.tif 000011
2020529340.tif 000012